【手続補正書】
【提出日】平成23年1月28日(2011.1.28)
【手続補正１】
【補正対象書類名】特許請求の範囲
【補正対象項目名】全文
【補正方法】変更
【補正の内容】
【特許請求の範囲】
【請求項１】
反転および非反転入力を持ち基準電圧をその出力に提供する増幅器を含むバンドギャップ基準回路であって、： 
a.  増幅器の非反転入力に接続される第一組のトランジスタであって、第一組は回路の第一および第二のトランジスタを含み、第一および第二トランジスタのベースは互いに接続され、第一トランジスタはフィードバック抵抗を介して増幅器の出力にさらに接続され、第二トランジスタはダイオード接続で提供される、前記第一組のトランジスタ； 
b. 第二組のトランジスタであって、回路の第三および第四のトランジスタを含み、第三トランジスタは増幅器の反転入力に接続され、第三および第四トランジスタのエミッタは基準抵抗を介してグラウンドに接続され、第四トランジスタはダイオード接続で提供され結合抵抗を介して第二トランジスタに接続される、前記第二組のトランジスタを含み； 
第三トランジスタのベースは第一および第二トランジスタの連結に接続され、第三トランジスタのコレクタは、第一および第三トランジスタが増幅器に対する事前増幅を形成するように第一トランジスタのコレクタに接続され、さらに第一および第四トランジスタのエミッタ面積は第二および第三トランジスタのエミッタ面積より大きくなるような縮尺で設計され、２つのベース−エミッタ電位差が、PTAT（proportional to absolute temperature）電圧に比例する態様で、結合およびフィードバック抵抗のそれぞれの両端間に生成され、結果として得られるPTAT電流は基準抵抗両端間にPTAT電圧を生成し、該PTAT電圧は第二および第三トランジスタ結合のベースエミッタ電圧と組み合わされて、一次温度不感応電圧として増幅器の出力に反映され、該温度不感応電圧に対する高バンドノイズの影響を最小限にするための非反転入力とグラウンドとの間に提供されるフィルターをさらに含む、前記回路。 
【請求項２】
第一および第三トランジスタのコレクタおよびベース電流を減らすように第一トランジスタからのフィードバック電流の少なくとも一部をシャントし、それにより温度不感応電圧における低バンドノイズの影響を減らすように提供された電流シャントを含む、請求項１に記載の回路。
【請求項３】
電流シャントが第一および第三トランジスタのコレクタ電流を減らし、結果として第一および第三トランジスタのベース電流を減らすように構成される、請求項２に記載の回路。 
【請求項４】
電流シャントが、２つのnpnトランジスタおよび１つのpnpトランジスタを含み、該pnpトランジスタが回路の第五トランジスタを形成し、２つのnpnトランジスタが回路の第六および第七トランジスタを形成する、請求項３に記載の回路。 
【請求項５】
トランジスタのエミッタ面積が、第二および第三トランジスタが第一のエミッタ面積nを持つように、第四トランジスタが第二のエミッタ面積n1を持つように、第一トランジスタが第三のエミッタ面積n2を持つように、第五トランジスタが第四のエミッタ面積n3を持つように、第六トランジスタが第五のエミッタ面積n4を持つように、そして第七トランジスタが第六のエミッタ面積n5を持つように、トランジスタのエミッタ面積が選定され、エミッタ面積がn5>n4>n3>n2>n1>nとなるように設計される、請求項４に記載の回路。 
【請求項６】
フィルターがキャパシタを含む、請求項１に記載の回路。 
【請求項７】
キャパシタが１０００pFより小さい値を持つ、請求項６に記載の回路。 
【請求項８】
キャパシタが２００pFより小さいの値を持つ、請求項７に記載の回路。 
【請求項９】
キャパシタが約１００pFの値を持つ、請求項９に記載の回路。 
【請求項１０】
回路が曲率補正要素を含む、請求項１に記載の回路。 
【請求項１１】
曲率補正要素が、極性が反対のTlogT型の補正電圧を第一基準電圧出力に提供し、補正電圧が一次基準電圧出力と組み合わされて曲率補正基準電圧を生成するように構成される、請求項１０に記載の回路。 
【請求項１２】
反転および非反転入力を持ち基準電圧をその出力に提供する増幅器を含むバンドギャップ基準回路であって、： 
a.  増幅器の非反転入力に接続される第一組のトランジスタであって、第一組は回路の第一および第二のトランジスタを含み、第一および第二トランジスタのベースは互いに接続され、第一トランジスタはフィードバック抵抗を介して増幅器の出力にさらに接続され、第二トランジスタはダイオード接続で提供される、前記第一組のトランジスタ； 
b.  第二組のトランジスタであって、回路の第三および第四のトランジスタを含み、第三トランジスタは増幅器の反転入力に接続され、第三および第四トランジスタのエミッタは基準抵抗を介してグラウンドに接続され、第四トランジスタはダイオード接続で提供され結合抵抗を介して第二トランジスタに接続される、前記第二組のトランジスタを含み； 
第三トランジスタのベースは第一および第二トランジスタの連結に接続され、第三トランジスタのコレクタは、第一および第三トランジスタが増幅器に対する事前増幅を形成するように第一トランジスタのコレクタに接続され、さらに第一および第四トランジスタのエミッタ面積は第二および第三トランジスタのエミッタ面積より大きくなるような縮尺で設計され、２つのベース−エミッタ電位差が、PTAT（proportional to absolute temperature）電圧に比例する態様で、結合およびフィードバック抵抗のそれぞれの両端間に生成され、結果として得られるPTAT電流は基準抵抗両端間にPTAT電圧を生成し、該PTAT電圧は第二および第三トランジスタ結合のベースエミッタ電圧と組み合わされて、一次温度不感応電圧として増幅器の出力に反映され、第一および第三トランジスタのコレクタおよびベース電流を減らすように第一トランジスタからのフィードバック電流の少なくとも一部をシャントし該温度不感応電圧に対する低バンドノイズの影響を減らすように提供された電流シャントをさらに含む、前記回路。 
【請求項１３】
電流シャントが第一および第三トランジスタのコレクタ電流を減らし、結果として第一および第三トランジスタのベース電流を減らすように構成される、請求項１２に記載の回路。
【請求項１４】
電流シャントが、２つのnpnトランジスタおよび１つのpnpトランジスタを含み、そのpnpトランジスタが回路の第五トランジスタを形成し、２つのnpnトランジスタが回路の第六および第七トランジスタを形成する、請求項１３に記載の回路。 
【請求項１５】
トランジスタのエミッタ面積が、第二および第三トランジスタが第一のエミッタ面積nを持つように、第四トランジスタが第二のエミッタ面積n1を持つように、第一トランジスタが第三のエミッタ面積n2を持つように、第五トランジスタが第四のエミッタ面積n3を持つように、第六トランジスタが第五のエミッタ面積n4を持つように、そして第七トランジスタが第六のエミッタ面積n5を持つように、トランジスタのエミッタ面積が選定され、エミッタ面積がn5>n4>n3>n2>n1>nとなるように設計される、請求項１４に記載の回路。 
【請求項１６】
前記温度不感応電圧に対する高バンドノイズの影響を最小限にするために、非反転入力およびグラウンドの間に提供されるフィルターを含む、請求項１２に記載の回路。 
【請求項１７】
フィルターがキャパシタを含む、請求項１６に記載の回路。 
【請求項１８】
キャパシタが１０００pFより小さいの値を持つ、請求項１７に記載の回路。 
【請求項１９】
キャパシタが２００pFより小さいの値を持つ、請求項１７に記載の回路。 
【請求項２０】
キャパシタが約１００pFの値を持つ、請求項１９に記載の回路。 
【請求項２１】
回路が曲率補正要素を含む、請求項１２に記載の回路。 
【請求項２２】
曲率補正要素が、極性が反対のTlogT型の補正電圧を第一基準電圧出力に提供し、補正電圧が一次基準電圧出力と組み合わされて曲率補正基準電圧を生成するように構成される、請求項２１に記載の回路。 
【請求項２３】
反転および非反転入力を持ち基準電圧をその出力に提供する増幅器を含むバンドギャップ基準回路であって、： 
a.  増幅器の非反転入力に接続される第一組のトランジスタであって、第一組は回路の第一および第二のトランジスタを含み、第一および第二トランジスタのベースは互いに接続され、第一トランジスタはフィードバック抵抗を介して増幅器の出力にさらに接続され、第二トランジスタはダイオード接続で提供される、前記第一組のトランジスタ； 
b.  第二組のトランジスタであって、回路の第三および第四のトランジスタを含み、第三トランジスタは増幅器の反転入力に接続され、第三および第四トランジスタのエミッタは基準抵抗を介してグラウンドに接続され、第四トランジスタはダイオード接続で提供され結合抵抗を介して第二トランジスタに接続される、前記第二組のトランジスタを含み； 
第三トランジスタのベースは第一および第二トランジスタの連結に接続され、第三トランジスタのコレクタは、第一および第三トランジスタが増幅器に対する事前増幅を形成するように第一トランジスタのコレクタに接続され、さらに第一および第四トランジスタのエミッタ面積は第二および第三トランジスタのエミッタ面積より大きくなるような縮尺で設計され、２つのベース−エミッタ電位差が、PTAT（proportional to absolute temperature）電圧に比例する態様で、結合およびフィードバック抵抗のそれぞれの両端間に生成され、結果として得られるPTAT電流は基準抵抗両端間にPTAT電圧を生成し、該PTAT電圧は第二および第三トランジスタ結合のベースエミッタ電圧と組み合わされて、一次温度不感応電圧として増幅器の出力に反映され、； 
温度不感応電圧に対する高バンドノイズの影響を最小限にするために非反転入力およびグラウンドの間に提供されるフィルター；および 
第一および第三トランジスタのコレクタおよびベース電流を減らすように第一トランジスタからのフィードバック電流の少なくとも一部をシャントし、よってこのオーダーの温度不感応電圧に対する低バンドノイズの影響を減らすように構成された電流シャントをさらに含む、前記回路。 
【請求項２４】
電流シャントが第一および第三トランジスタのコレクタ電流を減らし、結果として第一および第三トランジスタのベース電流を減らすように構成される、請求項２３に記載の回路。
【請求項２５】
電流シャントが、２つのnpnトランジスタおよび１つのpnpトランジスタを含み、pnpトランジスタが回路の第五トランジスタを形成し、２つのnpnトランジスタが回路の第六および第七トランジスタを形成する、請求項２４に記載の回路。
【請求項２６】
トランジスタのエミッタ面積が、第二および第三トランジスタが第一のエミッタ面積nを持つように、第四トランジスタが第二のエミッタ面積n1を持つように、第一トランジスタが第三のエミッタ面積n2を持つように、第五トランジスタが第四のエミッタ面積n3を持つように、第六トランジスタが第五のエミッタ面積n4を持つように、そして第七トランジスタが第六のエミッタ面積n5を持つように、トランジスタのエミッタ面積が選定され、エミッタ面積がn5>n4>n3>n2>n1>nとなるように設計される、請求項２５に記載の回路。 
【請求項２７】
フィルターがキャパシタを含む、請求項２３に記載の回路。 
【請求項２８】
キャパシタが１０００pFより小さい値を持つ、請求項２７に記載の回路。 
【請求項２９】
キャパシタが２００pFより小さい値を持つ、請求項２７に記載の回路。 
【請求項３０】
キャパシタが約１００pFの値を持つ、請求項２９に記載の回路。 
【請求項３１】
回路が曲率補正要素を含む、請求項２３に記載の回路。 
【請求項３２】
曲率補正要素が、極性が反対のTlogT型の補正電圧を第一基準電圧出力に提供し、補正電圧が一次基準電圧出力と組み合わされて曲率補正基準電圧を生成するように構成される、請求項３１に記載の回路。 
【請求項３３】
キャパシタがオンチップで提供される、請求項２７に記載の回路。
【請求項３４】
反転および非反転入力を持ち基準電圧をその出力に提供する増幅器を含むバンドギャップ基準回路であって、非反転入力は増幅器への高インピーダンス入力となっており、増幅器の入力での高バンドノイズをフィルターするために該高インピーダンス入力とグラウンドとの間に接続されたフィルターを含む、前記回路。 
【請求項３５】
バンドギャップセル内に設けられ、反転および非反転入力を持ち基準電圧をその出力に提供する増幅器に接続された複数のトランジスタを含むバンドギャップ基準回路であって、バンドギャップセルを形成する増幅器出力とトランジスタとの間にフィードバックループを含み、さらにバンドギャップセルを形成するトランジスタのコレクタエミッタ電流を減らし、その結果トランジスタのベース電流を減らすようにフィードバックループからの電流の少なくとも一部をシャントするシャント回路を含む、前記回路。